(57)【特許請求の範囲】
【請求項１】
電動送風機を内装する本体部に集塵部を着脱自在に設けた電気掃除機において、前記集塵部は、塵埃が堆積する集塵容器と、前記本体部の外装を形成して前記集塵容器の上方を覆うカバー部と、前記カバー部に枢支されて上下方向に回動する把持部と、前記本体部に係合して前記集塵部の装着状態をロックするとともに前記把持部を上方に回動した際に前記本体部との係合が解除される係合部と、後端に前記係合部を有して前後方向のスライド自在に前記カバー部に設けられるとともに後方に付勢されるスライド部材と、前記把持部の枢支軸と開放端との間から下方に突出する突出部とを備え、前記スライド部材は上方が後方に傾斜して前記突出部の前端に当接する傾斜面を有し、前記把持部の回動によって前記突出部が前記傾斜面上を摺動して前記係合部が進退することを特徴とする電気掃除機。
【請求項２】
前記把持部の下面に前記スライド部材の前方を覆う遮蔽リブを突設したことを特徴とする請求項１に記載の電気掃除機。
【発明の詳細な説明】
【技術分野】
【０００１】
本発明は、集塵部を着脱自在に備えた電気掃除機に関する。
【背景技術】
【０００２】
従来の電気掃除機は特許文献１に開示されている。この電気掃除機は本体カバーにより覆われた本体部に電動送風機を内装し、電動送風機の上流側には塵埃を捕集する集塵部を配した集塵室が設けられる。
【０００３】
集塵部には上面に開口面を有する断面円形の有底筒状の集塵容器が設けられる。集塵容器は空気を周接線方向に流入させる流入口が周面に設けられ、流入口から流入する空気によって旋回気流が形成される。集塵容器内には周面に気流の流出口を開口した内筒が同軸に配される。集塵容器の上面の開口面にはフィルタ保持部により保持されるフィルタが配される。
【０００４】
塵埃を含む気流は流入口から集塵容器に流入し、旋回気流の遠心力によって大きな塵埃が分離されて集塵容器内に堆積する。大きな塵埃を除去された気流は流出口を介して内筒を流通し、フィルタによって細かい塵埃が捕集される。細かい塵埃を除去された気流は集塵部から流出し、電動送風機を通過して本体部の外部に排気される。これにより、被掃除面の掃除を行うことができる。尚、本体部の前面には集塵容器内を視認する窓部が形成される。
【０００５】
フィルタ保持部の前方には上部を水平軸で枢支された回動自在の把持部が設けられる。把持部にはリンク機構を介して係合部（カギ部）が連結される。係合部は把持部の回動に伴って上下にスライド移動し、上方に付勢される。把持部の下部を手指で把持して前方に回動させると係合部が降下し、把持部から手指を離すと係合部が付勢によって上昇する。
【０００６】
把持部の回動によって係合部を降下した状態で集塵部が本体部の集塵室内に挿入され、把持部を離すと係合部がフィルタ保持部から上方に突出して本体カバーに係合する。これにより、集塵部が本体部に装着される。また、本体部に装着された集塵部の把持部を回動させると係合部が降下して本体カバーとの係合が解除される。これにより、集塵部を本体部から前方に引き出して脱着し、塵埃の廃棄やフィルタの清掃等を行うことができる。
【先行技術文献】
【特許文献】
【０００７】
【特許文献１】特開２００８−９３３４１号公報（第４頁−第６頁、第１２図）
【発明の概要】
【発明が解決しようとする課題】
【０００８】
しかしながら、上記従来の電気掃除機によると、集塵部の脱着時に一方の手で本体部を支持し、把持部を把持して回動させることにより集塵部が前方に引き出される。このため、使用者の一方の手が塞がっているときに集塵部を容易に脱着することができず、電気掃除機の利便性が悪い問題があった。
【０００９】
本発明は、利便性を向上できる電気掃除機を提供することを目的とする。
【課題を解決するための手段】
【００１０】
上記目的を達成するために本発明は、電動送風機を内装する本体部に集塵部を着脱自在に設けた電気掃除機において、前記集塵部は、塵埃が堆積する集塵容器と、前記本体部の外装を形成して前記集塵容器の上方を覆うカバー部と、前記カバー部に枢支されて上下方向に回動する把持部と、前記本体部に係合して前記集塵部の装着状態をロックするとともに前記把持部を上方に回動した際に前記本体部との係合が解除される係合部とを備えたことを特徴としている。
【００１１】
この構成によると、集塵容器を有する集塵部は本体部に装着され、本体部と係合部との係合によって装着状態がロックされる。電動送風機の駆動によって気流が集塵容器に流入し、気流に含まれる塵埃が分離されて集塵容器内に堆積する。把持部の開放端を把持して上方に引き上げると把持部が回動する。これにより、係合部と本体部との係合が解除され、集塵部が引き上げられて本体部から脱着される。
【００１２】
また本発明は、上記構成の電気掃除機において、前記本体部の前部に前記集塵容器の内部を視認する窓部を設けたことを特徴としている。この構成によると、集塵容器内に堆積した塵埃が窓部を介して視認され、塵埃の廃棄時期を判別することができる。
【００１３】
また本発明は、上記構成の電気掃除機において、前記把持部の開放端を前記集塵容器の中心軸近傍に配したことを特徴としている。この構成によると、把持部の開放端が集塵部の重心の略鉛直上方に配置される。これにより、把持部の開放端を把持して脱着された集塵部を安定して運搬することができる。
【００１４】
また本発明は、上記構成の電気掃除機において、後端に前記係合部を有して前後方向のスライド自在に前記カバー部に設けられるとともに後方に付勢されるスライド部材と、前記把持部の枢支軸と開放端との間から下方に突出する突出部とを備え、前記スライド部材は上方が後方に傾斜して前記突出部の前端に当接する傾斜面を有し、前記把持部の回動によって前記突出部が前記傾斜面上を摺動して前記係合部が進退することを特徴としている。
【００１５】
この構成によると、把持部を把持して上方に回動させると把持部の下方に突出した突出部が上方に回動してスライド部材の傾斜面上を摺動する。傾斜面は上方が後方に傾斜するため突出部の回動によってスライド部材が前方にスライドする。これにより、スライド部材の後端に設けた係合部が前方に移動して本体部との係合が解除される。把持部から手指を離すと付勢によってスライド部材が係合部と一体に後退し、本体部に係合部が係合する。
【００１６】
また本発明は、上記構成の電気掃除機において、前記把持部の下面に前記スライド部材の前方を覆う遮蔽リブを突設したことを特徴としている。
【発明の効果】
【００１７】
本発明によると、集塵容器の上方を覆うカバー部に枢支される把持部が上下方向に回動し、本体部に係合する係合部が把持部を上方に回動した際に本体部との係合を解除されるので、集塵部の脱着時に一方の手で把持部を把持して上方に引き上げると本体部の自重によって係合部と本体部との係合が解除される。そして、集塵部の自重によって係合部と本体部との係合が解除された状態が維持され、集塵部を引き上げて本体部から脱着することができる。従って、使用者の一方の手が塞がっている場合であっても集塵部を容易に脱着することができ、電気掃除機の利便性を向上することができる。
【図面の簡単な説明】
【００１８】
【図１】本発明の実施形態の電気掃除機を示す斜視図
【図２】本発明の実施形態の電気掃除機の本体部を示す側面断面図
【図３】本発明の実施形態の電気掃除機の集塵部を示す斜視図
【図４】本発明の実施形態の電気掃除機の集塵部を示す側面断面図
【図５】本発明の実施形態の電気掃除機の集塵部のカバー部を示す分解斜視図
【図６】本発明の実施形態の電気掃除機の集塵部のカバー部筐体にスライド部材を設置した状態を示す斜視図
【図７】本発明の実施形態の電気掃除機の集塵部の把持部を下方から見た斜視図
【図８】本発明の実施形態の電気掃除機の集塵部の突出部を通る断面を示す側面断面図
【図９】本発明の実施形態の電気掃除機の本体部の集塵部を脱着した状態を示す側面断面図
【発明を実施するための形態】
【００１９】
以下に本発明の実施形態を図面を参照して説明する。図１は一実施形態の電気掃除機を示す斜視図である。電気掃除機１は電動送風機６（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００２０】
本体部２の前面には可撓性の接続ホース３が接続され、接続ホース３の先端には延長パイプ４が接続される。延長パイプ４の先端には床面に対峙する吸込口（不図示）を有した吸込口体５が設けられる。また、延長パイプ４にはパイプ把持部１３及び操作部１４が設けられる。使用者により操作部１４を操作して掃除運転が実行され、パイプ把持部１３を把持して吸込口体５を移動させる。
【００２１】
図２は本体部２の側面断面図を示している。本体部２は本体カバー１０により覆われ、後部に電動送風機６が配される。本体カバー１０の前面には接続ホース３（図１参照）を接続する接続口１０ａが開口し、背面には排気口１０ｂが開口する。電動送風機６の前方には集塵室１９が設けられ、集塵室１９内にはサイクロン式の集塵部２０が配される。詳細を後述するように集塵部２０の集塵容器２２は透明樹脂から成り、集塵容器２２内を視認できる窓部１０ｃが本体カバー１０の前部に設けられる。
【００２２】
集塵部２０は接続口１０ａに連通する流入口２２ａ及び塵埃を除去した気流が流出する集塵部排気口４２ａが設けられる。集塵部排気口４２ａと電動送風機６との間はダクト１５により連結される。
【００２３】
集塵部２０の上部には本体カバー１０に連続して本体部２の外装を形成するカバー部４０が配される。カバー部４０の上面には後部で枢支される回動自在の把持部４１が設けられる。カバー部４０の上部後方には本体カバー１０に係合して集塵部２０の装着状態をロックする係合部４３が設けられる。
【００２４】
図３、図４は集塵部２０の斜視図及び側面断面図を示している。集塵部２０はカバー部４０、フィルタ保持部５０及び集塵容器２２を有している。集塵容器２２は透明樹脂から成り、上面に開口面２２ｂを有した断面略円形の有底筒状に形成される。集塵容器２２の前部の周面には接続口１０ａ（図２参照）に連通して接続ホース３（図１参照）からの気流が流入する流入口２２ａが設けられる。
【００２５】
集塵容器２２には流入口２２ａを介して周接線方向に気流が流入し、集塵容器２２内に旋回気流が形成される。これにより、サイクロン式の集塵装置が形成され、気流に含まれる塵埃を遠心力により分離する。また、集塵容器２２の後部の周面には水平軸で回動自在のクリップ２３が設けられる。
【００２６】
フィルタ保持部５０は平面視円形のフィルタ３７を保持する。フィルタ３７はプリーツフィルタから成り、軸方向に垂直な方向に山部と谷部とが連続するように折り曲げて形成される。これにより、フィルタ３７は広い捕集面積を有し、集塵容器２２の開口面２２ｂを覆って塵埃を捕集する。
【００２７】
フィルタ保持部５０は平面視円形のフィルタ３７の周面に沿う環状部５０ａを有し、集塵容器２２に対して着脱自在に設けられる。後述する内筒５１と一体にフィルタ保持部５０を集塵容器２２に挿入してクリップ２３をフィルタ保持部５０の背面に係合させると、フィルタ保持部５０が集塵容器２２に装着される。クリップ２３を回動してフィルタ保持部５０との係合を解除すると、集塵容器２２からフィルタ保持部５０を脱着することができる。
【００２８】
フィルタ保持部５０の下面には内筒５１が突出して設けられる。内筒５１は集塵容器２２と同軸に配され、周面に気流の流出口５１ａが設けられる。
【００２９】
カバー部４０の上面は前方が下がる傾斜面に形成され、カバー部４０の内部にはフィルタ３７とダクト１５（図２参照）とを連通させる連通路４２が形成される。カバー部４０の背面には連通路４２の端面である集塵部排気口４２ａが開口する。カバー部４０は背面に設けたヒンジ部６０によってフィルタ保持部５０に枢支され、フィルタ３７の上方を開閉する。
【００３０】
図５はカバー部４０の分解斜視図を示している。カバー部４０はカバー部筐体４６、スライド部材４７、把持部４１、上面カバー４５を備えている。カバー部筐体４６は連通路４２（図４参照）が形成され、上面に凹部４６ａが形成される。凹部４６の背面には開口部４６ｅが開口する。
【００３１】
凹部４６ａの後部には開口部４６ｅの左右端から前方に延びる案内リブ４６ｄが設けられる。対向する両案内リブ４６ｄの上部は互いに接近する方向に屈曲する。案内リブ４６の前方には左右方向の中央部にＬ字型の上面規制部４６ｃが設けられる。また、凹部４６の後部の左右端には把持部４１を支持する軸受部４６ｂが設けられる。
【００３２】
スライド部材４７は前後に延びる嵌合部４７ａと、嵌合部４７ａの前端から左右に延びる当接部４７ｂとを有した平面視Ｔ字型に形成される。嵌合部４７ａはカバー部筐体４６の左右の案内リブ４６ｄ間に嵌合し、当接部４７ｂは把持部４１の突出部４１ｂ（図７参照）に当接する。嵌合部４７ａは上下に貫通する貫通孔４７ｃが形成され、係合部４３が背面から後方に突出して一体に設けられる。当接部４７ｂの背面は上方が後方に傾斜する傾斜面４７ｄにより形成される。
【００３３】
図６はカバー部筐体４６にスライド部材４７を設置した状態を示す斜視図である。スライド部材４７の貫通孔４７ｃには上面規制部４６ｃが挿通され、両案内リブ４６ｄ間にスライド部材４７の嵌合部４７ａが配される。また、嵌合部４７ａの後端に設けた係合部４３（図５参照）は開口部４６ｅ（図５参照）に挿通される。
【００３４】
嵌合部４７ａの側面が案内リブ４６ｄに摺動案内されてスライド部材４７が前後にスライド可能になっている。この時、案内リブ４６ｄの上部が嵌合部４７ａの上面に摺動し、上面規制部４６ｃの上部が当接部４７ｂの上面に摺動する。これにより、スライド部材４７の上下方向の移動が規制される。また、スライド部材４７の貫通孔４７ｃの背壁と上面規制部４６ｃとの間には圧縮バネ（不図示）が配され、スライド部材４７が後方に付勢される。
【００３５】
図５において、把持部４１は後部の左右端に軸部４１ａが突設される。上面カバー４５は把持部４１が貫通する開口部４５ａを開口し、カバー部筐体４６に係着される。上面カバー４５の下面には後部の左右端に軸受部４５ｂが突設される。カバー部筐体４６の軸受部４６ｂの前方に把持部４１の軸部４１ａを配して上面カバー４５を取り付けると、軸部４１ａが軸受部４６ｂ及び軸受部４５ｂにより支持される。これにより、把持部４１が枢支され、前端の開放端を把持して上下方向に回動することができる。また、把持部４１の開放端は集塵容器２２の中心軸Ｃ（図４参照）の近傍に配される。
【００３６】
図７は把持部４１を下方から見た斜視図を示している。把持部４１の下面の前端には左右方向に延びるリブ４１ｄが設けられる。把持部４１の開放端を使用者が把持した際に手指がリブ４１ｄに掛かり、手指を滑り止めすることができる。
【００３７】
把持部４１の下面の軸部４１ａと開放端との間には略Ｌ字型の突出部４１ｂが設けられる。突出部４１ｂの前端はスライド部材４７の傾斜面４７ｄに当接し、把持部４１の回動によって傾斜面４７ｄと摺動する。即ち、図８に示すように、把持部４１の開放端を上方に引き上げると、突出部４１ｂが上方に回動して傾斜面４７ｄ上を摺動する。傾斜面４７ｄは上方が後方に傾斜するため、突出部４１ｂの回動によってスライド部材４７が前方にスライドする。
【００３８】
また、把持部４１の下面にはスライド部材４７の前方を覆う遮蔽リブ４１ｃが設けられる。遮蔽リブ４１ｃによって把持部４１の開放端を把持した手指がスライド部材４７に接触することを防止することができる。
【００３９】
上記構成の電気掃除機１において、電動送風機６が駆動されると吸込口体５から床面の塵埃が吸い込まれ、延長パイプ４及び接続ホース３を流通する。塵埃を含む気流は接続口１０ａ及び流入口２２ａを介して集塵部２０の集塵容器２２に流入し、集塵容器２２内に旋回気流を形成する。旋回気流の遠心力によって気流に含まれる比較的大きな塵埃が除去され、集塵容器２２内に堆積する。
【００４０】
大きな塵埃が除去された気流は流出口５１ａから内筒５１内に流出して上昇し、フィルタ３７により細かい塵埃が捕集される。フィルタ３７を通過した気流は集塵部排気口４２ａを介して集塵部２０から流出する。集塵部２０から流出した気流はダクト１５を流通し、電動送風機６を介して排気口１０ｂから排気される。
【００４１】
使用者が把持部４１の開放端を一方の手で把持して上方に引き上げると、係合部４３に係合する本体部２の自重によって把持部４１が回動する。これにより、突出部４１ｂの前端が傾斜面４７ｄに摺動してスライド部材４７が前進し、係合部４３と本体部２（本体カバー１０）との係合が解除される。そして、集塵部２０の自重によって係合部４３と本体部２との係合が解除された状態が維持され、図９に示すように、集塵部２０を引き上げて本体部２から脱着することができる。
【００４２】
本体部２から脱着した集塵部２０のフィルタ保持部５０及びカバー部４０をクリップ２３の回動によって集塵容器２２から脱着すると、集塵容器２２内の塵埃が廃棄される。また、ヒンジ部６０によりフィルタ保持部５０に枢支されるカバー部４０を開くと、フィルタ３７の除塵やフィルタ３７の水洗い等を行うことができる。
【００４３】
また、脱着された集塵部２０は把持部４１の開放端を一方の手で把持して引き上げた状態で本体部２の集塵室１９に上方から挿入される。把持部４１から手指を離すとスライド部材４７が付勢により後退する。これにより、係合部４３と本体カバー１０とが係合し、集塵部２０の装着状態がロックされる。
【００４４】
本実施形態によると、集塵容器２２の上方を覆うカバー部４０に枢支される把持部４１が上下方向に回動し、本体部２に係合する係合部４３が把持部４１を上方に回動した際に本体部２との係合を解除されるので、集塵部２０の脱着時に一方の手で把持部４１を把持して上方に引き上げると本体部２の自重によって係合部４３と本体部２との係合が解除される。そして、集塵部２０の自重によって係合部４３と本体部２との係合が解除された状態が維持され、集塵部２０を引き上げて本体部２から脱着することができる。
【００４５】
このため、使用者の一方の手が塞がっている場合であっても集塵部２０を容易に脱着することができる。加えて、集塵部２０は把持部４１を上方に引き上げて本体部２から脱着された後に持ち上げて運搬されるので、一連の動作で集塵部２０を持ち上げることができる。従って、電気掃除機１の利便性を向上することができる。
【００４６】
また、従来例のように本体部２の前面に窓部１０ｃ及び把持部４１が配置されると、窓部１０ｃが塞がれるため把持部４１を大きくすることができない。本実施形態では本体部２の前部に集塵容器２２の内部を視認する窓部１０ｃを設け、把持部４１が本体部２の上面に配される。これにより、把持部４１を大きくして軸部４１ａと開放端との距離を長く形成し、小さい力で回動させることができる。従って、集塵部２０を容易に脱着することができる。
【００４７】
また、把持部４１の開放端を集塵容器２２の中心軸Ｃの近傍に配したので、把持部４１の開放端が集塵部２０の重心の略鉛直上方に配置される。これにより、把持部４１の開放端を把持して脱着された集塵部２０を安定して運搬することができ、電気掃除機１の利便性をより向上することができる。
【００４８】
また、係合部４３と一体のスライド部材４７に上方が後方に傾斜する傾斜面４７ｄを設け、把持部４１の軸部４１ａと開放端との間から下方に突出する突出部４１ｂが把持部４１の回動によって傾斜面４７ｄ上を摺動して係合部４３が進退する。これにより、把持部４１と凹部４６ａとの間の上下方向に小さいスペースにスライド部材４７及び突出部４１ｂを配して係合部４３の大きな移動距離を得ることができる。従って、集塵部２０及び電気掃除機１の小型化を図ることができる。
【００４９】
また、把持部４１の下面にスライド部材４７の前方を覆う遮蔽リブ４１ｃを突設したので、把持部４１の開放端を把持した手指がスライド部材４７に接触することを防止することができる。
【００５０】
本実施形態において、電気掃除機１が電動送風機６を内装する本体部２に吸込口体５が接続ホース３を介して接続されるキャニスター型に形成されるが、本体部２に吸込口体５を一体に設けた縦型の電気掃除機であってもよい。
【産業上の利用可能性】
【００５１】
本発明によると、塵埃が堆積する集塵容器を有する集塵部を着脱自在に備えた電気掃除機に利用することができる。
【符号の説明】
【００５２】
１    電気掃除機
２    本体部
３    接続ホース
４    延長パイプ
５    吸込口体
６    電動送風機
１０    本体カバー
１３    パイプ把持部
１４    操作部
１５    ダクト
１９    集塵室
２０    集塵部
２２    集塵容器
２２ａ  流入口
２３    クリップ
３７    フィルタ
４０    カバー部
４１    把持部
４１ａ  軸部
４１ｂ  突出部
４１ｃ  遮蔽リブ
４２    連通路
４２ａ  集塵部排気口
４３    係合部
４５    上面カバー
４５ｂ、４６ｂ  軸受部
４６    カバー部筐体
４６ａ  凹部
４６ｃ  上面規制部
４６ｄ  案内リブ
４６ｅ  開口部
４７    スライド部材
４７ａ  嵌合部
４７ｂ  当接部
４７ｄ  傾斜面
５０    フィルタ保持部
５１    内筒
５１ａ  流出口
６０    ヒンジ部
【図１】
0005610522.tif 000002
【図２】
0005610522.tif 000003
【図３】
0005610522.tif 000004
【図４】
0005610522.tif 000005
【図５】
0005610522.tif 000006
【図６】
0005610522.tif 000007
【図７】
0005610522.tif 000008
【図８】
0005610522.tif 000009
【図９】
0005610522.tif 000010